(57)【要約】      （修正有）【課題】洗面所と浴室用化粧鏡箱のハブ構造を提供する。【解決手段】本体１の高い位置に、配線座６を組立てるための実装孔１１が設置され、配線座６の正面に、ヒューズ装置が設置され、裏面に、若干の配線挿設スロット６２が設置され、上記配線座に、電源供給線７が接続され、配線挿設スロットに、照明設備や曇り取り設備及び電源ソケット４の電線が挿設され、これにより、内部の電線配置が簡単になり、また、化粧鏡箱の本体が、高温によって黒くなったり、炎上したりする恐れがない。【選択図】図６
0003154333.tif 000002
【実用新案登録請求の範囲】
【請求項１】
本体の高い位置に、配線座が設置され、上記配線座の一端が、電源供給線に接続され、正面に、ヒューズ装置が設置され、裏面に、化粧鏡箱内部にある配線が挿設されるための若干の配線挿設スロットが設置される、
ことを特徴とする洗面所と浴室用化粧鏡箱のハブ構造。
【請求項２】
本体の高い位置に、実装孔が設置され、実装孔の両側に、ネジで配線座をロックするための固定孔が設置されることを特徴とする請求項１に記載の洗面所と浴室用化粧鏡箱のハブ構造。
【請求項３】
配線座が、化粧鏡箱の照明設備の傍に固定されることを特徴とする請求項１に記載の洗面所と浴室用化粧鏡箱のハブ構造。
【考案の詳細な説明】
【技術分野】
【０００１】
本考案は、洗面所と浴室の設備に関し、特に、電線整備が容易で、より良い使用安全性が実現される洗面所と浴室用化粧鏡箱のハブ構造に関する。
【背景技術】
【０００２】
一般の洗面所や浴室に、顔などを洗うための化粧鏡が設置され、また、洗面等のための化粧道具を整理するため、化粧鏡が、化粧道具を収納できる箱状に設計され、これにより、洗面所や浴室の環境が、より整然美観になり、同時に、優れた照明を提供でき、化粧鏡が曇って見えなくなることを防止でき、また、電器の使用が便利になり、そのため、大部分の化粧鏡箱は、照明設備や曇り取り設備及び電源ソケットが整備される。
【０００３】
しかしながら、従来の化粧鏡箱は、漏電保護設計がなく、内部照明設備や曇り取り設備及び電源ソケットの電線挿設は、簡単に、電線を電気的に接続してから、絶縁スリーブを嵌めるだけで、随意に垂れるため、容易に、漏電や壁に水蒸気が凝集して絶縁スリーブに滲み込むことにより、短絡や高温になって、プラスチック製の化粧鏡箱本体が、高温によって黒くなったり、炎上したりする恐れがある。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、本体の高い位置にある照明設備の傍に、配線座が設置され、照明設備の光熱で除湿し、また、配線座が、高い位置に設置されるため、水蒸気の凝集によって短絡することがなく、化粧鏡箱の内部電線の配置が簡単になり、また、高温によって黒くなったり、炎上したりする恐れがない。
【０００６】
本考案の他の目的は、配線座に、ヒューズ装置が追い付けられ、また、上記ヒューズ装置が、配線座の正面に実装されるため、漏電保護機能を発揮でき、そして、化粧鏡箱の正面からヒューズを交換できるため、交換が、より簡単且つ便利的である。
【課題を解決するための手段】
【０００７】
請求項１の考案は、本体の高い位置に、配線座が設置され、上記配線座の一端が、電源供給線に接続され、正面に、ヒューズ装置が設置され、裏面に、化粧鏡箱内部にある配線が挿設されるための若干の配線挿設スロットが設置される、ことを特徴とする洗面所と浴室用化粧鏡箱のハブ構造である。
【０００８】
請求項２の考案は、本体の高い位置に、実装孔が設置され、実装孔の両側に、ネジで配線座をロックするための固定孔が設置されることを特徴とする請求項１に記載の洗面所と浴室用化粧鏡箱のハブ構造である。
【０００９】
請求項３の考案は、配線座が、化粧鏡箱の照明設備の傍に固定されることを特徴とする請求項１に記載の洗面所と浴室用化粧鏡箱のハブ構造である。
【００１０】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１１】
図１乃至図６を参照しながら、本考案は、本体１の正面に、鏡３の裏面にある曇り取り設備（図に未表示）や電源ソケット４及び二つの制御スウィッチ５に接続される照明設備２が設置され、また、本体１の高い位置にある照明設備２の傍に、実装孔１１が設置され、実装孔１１の両側に、ネジ１３で配線座６を固定するための固定孔１２があり、上記配線座６は、一端に、電源供給線７が接続され、正面に、ヒューズ装置６１が設置され、裏面に、実装孔１１から本体１の内部まで、若干の配線挿設スロット６２が貫設され、電源供給線７が、ヒューズ装置６１を介して配線挿設スロット６２と接続し、上記配線座６の配線挿設スロット６２に、電源ソケット４の電線が挿設され、配合両制御スウィッチ５に、照明設備２や曇り取り設備の電線が挿設される。
【００１２】
これにより、両制御スウィッチ５で、電源供給線を介して、配線座６のヒューズ装置６１と配線挿設スロット６２を制御して、電気エネルギーを照明設備２や曇り取り設備に供給でき、照明や鏡３の表面にある曇りを除去する機能を実現でき、また、電源供給線で、配線座６のヒューズ装置６１や配線挿設スロット６２を介して、電気エネルギーを、電源ソケット４に供給でき、これにより、電器のプラグを挿設でき、また、化粧鏡箱の内部に、他の電器設備が増設される時、直接に配線座６の配線挿設スロット６２から電源を接続できる。
【００１３】
使用する時、万が一、漏電が発生した場合、ヒューズ装置６１が、自動的に断線して、プラスチック製の化粧鏡箱本体１が高温によって黒くなったり、炎上したりすることを防止でき、そのため、漏電保護機能を発揮でき、また、ヒューズ装置６１が断線された後、図７のように、カバーを開いて、化粧鏡箱の正面から、ヒューズを交換する。
【００１４】
上記の具体実施例から分かるように、本考案によれば、次の利点が得られる。
１、本体１の高い位置にある照明設備２の傍に、配線座６が設置され、上記配線座６に、照明設備２や曇り取り設備及び電源ソケット４の電線が挿設され、これにより、照明設備２の光熱で、配線座６に対して除湿効果が得られ、また、配線座６が高い位置にあるため、水蒸気の凝集により短絡になることがなく、そのため、化粧鏡箱の内部電線の配置が簡単になり、また、高温によって黒くなったり、炎上したりする恐れがなく、使用安全性が向上される。
２、配線座６が、本体１の実装孔１１に固定され、正面に、ヒューズ装置６１が設置されるため、漏電保護機能を有し、また、ヒューズを、化粧鏡箱の正面から交換できるため、より便利的になる。
【００１５】
そのため、本考案は、より進歩的かつより実用的で、法に従って実用新案登録請求を出願する。
【００１６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１７】
【図１】本考案の外観立体図
【図２】本考案の正面立体分解図
【図３】本考案の裏面立体分解図
【図４】本考案の正面局部立体図
【図５】本考案の裏面局部立体図
【図６】本考案の電線配置概念図
【図７】本考案のヒューズを交換する場合の概念図
【符号の説明】
【００１８】
１    本体
１１  実装孔
１２  固定孔
１３  ネジ
２    照明設備
３    鏡
４    ソケット
５    制御スウィッチ
６    配線座
６１  ヒューズ装置
６２  配線挿設スロット
７    電源供給線
【図１】
0003154333.tif 000003
【図２】
0003154333.tif 000004
【図３】
0003154333.tif 000005
【図４】
0003154333.tif 000006
【図５】
0003154333.tif 000007
【図６】
0003154333.tif 000008
【図７】
0003154333.tif 000009